(57)【要約】【課題】１台の輪転印刷機で２台の輪転印刷機と同様の工程を実施することで、チラシ印刷に伴う設備の無駄を省いて簡易型チラシを効率よく製作することのできる冊子型チラシの作製方法を提供する。【解決手段】本発明のチラシの作製方法は用紙に広告を印刷する工程、得られた刷紙を異なる大きさの第１サイズと第２サイズとに切り離す工程、切り離されたいずれか一方の刷紙にのりを塗布する工程、双方の刷紙を重ねて接着する工程、大きいサイズの刷紙を２つ折りに折る工程、双方の刷紙を決められたサイズに断裁する工程を含む。【選択図】なし【特許請求の範囲】
【請求項１】
用紙に広告を印刷する工程、得られた刷紙を異なる大きさの第１サイズと第２サイズとに切り離す工程、切り離されたいずれか一方の前記刷紙にのりを塗布する工程、前記双方の刷紙を重ねて接着する工程、大きいサイズの前記刷紙を２つ折りに折る工程、前記双方の刷紙を決められたサイズに断裁する工程を含む冊子型チラシの作製方法。
【発明の詳細な説明】
【技術分野】
【０００１】
本発明はチラシ印刷に伴う無駄を省き、効率よく大量のチラシを製作することを可能にした冊子型チラシの作製方法に関する。
【背景技術】
【０００２】
新聞に折り込むチラシおよびポスティング・チラシ等は増加の一途を辿っている。折り込みにおいては人手に頼ることが多く、折り込みに要する費用も増加している。一般に、チラシに多量の広告等を掲載するとき、大判のチラシ（たとえば、Ｂ３、Ｂ２およびＢ１サイズ）が用いられるが、これは新聞の折り込みサイズを超えるので、新聞の折り込みサイズ（４０６．５×２７３ｍｍ）に収めるようにするにはチラシを折らなければならない。大判としないで小判の何枚かのチラシを適当な手段で綴ること、あるいは綴じ合わせないで作製することも行なわれている。折られた大判のチラシおよび綴った小判のチラシのどちらも新聞への折り込みの際には一枚チラシ同様にその取り扱いが容易でなければならない。
【０００３】
ところで、大量印刷物であるチラシは美観に優れたカタログのような印刷物に倣って高級感を持たせることに腐心し、綴じ部にも美観を損ねない綴じ方として針金等によらないでのりで綴じ合わせるものが多くなっている。このようなのりで綴じるチラシは冊子型チラシと呼ばれ、たとえば特開２００１−３１０８６２公報に記載されている。
【０００４】
通常、冊子型チラシの印刷には輪転印刷機が使用され、印刷工程を中心にのり塗布、接着、折り工程を含めて自動化したラインで大量のチラシを効率よく作製することが行なわれる。ちなみに、上記の特開２００１−３１０８６２公報には冊子型チラシを２台の輪転印刷機を用いて印刷し、他の工程を含めて自動化を図ったものが示されている。
【特許文献１】特開２００１−３１０８６２公報、第３頁、図１
【発明の開示】
【発明が解決しようとする課題】
【０００５】
上記のチラシの製造方法で得られる冊子型チラシは２台の輪転印刷機で各々印刷した２枚の刷紙を綴じ部で折って完成させるもので、このチラシは８頁からなる冊子型チラシ（以下標準型チラシと称する）として実用されている。この標準型チラシの１枚の用紙について用紙幅を小さく（たとえば、郵便はがきサイズ）詰め、輪転印刷機で印刷し、１枚の刷紙だけ綴じ部で折って完成させる、６頁からなる冊子型チラシ（以下簡易型チラシと称する）も検討されている。
【０００６】
２台の輪転印刷機で簡易型チラシを印刷する場合、はがきサイズの小幅の用紙を印刷するのに標準型チラシを印刷する場合と同様に、輪転印刷機に付随する給紙装置、乾燥装置、冷却装置などの装置を同時に作動しなければならず、印刷工程での無駄が大きい。
【０００７】
そこで、本発明の目的は１台の輪転印刷機で２台の輪転印刷機と同様の工程を実施することで、チラシ印刷に伴う設備の無駄を省いて簡易型チラシを効率よく製作することのできる冊子型チラシの作製方法を提供することにある。
【課題を解決するための手段】
【０００８】
本発明に係る方法は用紙に広告を印刷する工程、得られた刷紙を異なる大きさの第１サイズと第２サイズとに切り離す工程、切り離されたいずれか一方の刷紙にのりを塗布する工程、双方の刷紙を重ねて接着する工程、大きいサイズの刷紙を２つ折りに折る工程、双方の刷紙を決められたサイズに断裁する工程を含むものである。
【０００９】
本発明に係る方法は印刷工程では連続して送られる用紙に１台の輪転印刷機で広告のための文字、図柄等を印刷する。次に、分離工程で連続して流れる刷紙をリボンスリッターで異なる大きさの１／３幅サイズと２／３幅サイズとに切り離す。次に、のり塗布工程においてのり噴射器から１／３幅サイズ刷紙の紙端部分に水溶性ののりを塗布する。
【００１０】
次に、接着工程ではローラ上において１／３幅サイズ刷紙の上に２／３幅サイズ刷紙を重ねて接着する。次に、折り工程では接着された１／３幅サイズ刷紙と２／３幅サイズ刷紙とが一体となって三角板に送られ、２／３幅サイズ刷紙のセンターから折られる。次に、連続して流れる刷紙を断裁胴で決められたサイズに断裁する。
【００１１】
本発明方法においては一定の速度で流れる刷紙を分離工程で一度切り離し、接着工程で切り離された刷紙を綴じ合わせ、その後折り工程で綴じられた刷紙ついて折り、断裁工程で新聞折り込みサイズに断裁するので、冊子形態の簡易型チラシを大量に効率よく製作することができる。
【発明を実施するための最良の形態】
【００１２】
本発明に係るチラシの作製方法について説明する。図１に示すように、簡易型チラシはサイズを異にする２枚の刷紙を有する。１枚の刷紙は紙幅の大きい（紙幅の２／３に相当する）第１刷紙１で、もう１枚の刷紙は紙幅の小さい（紙幅の１／３に相当する）第２刷紙２である。この第１刷紙１と第２刷紙２とは綴じ部Ｂで重ねてのりで綴じられ、図に示すような６頁の冊子形態にまとめられる。このチラシは綴じ部背面の背３と、反対側の小口４とを備える。
【００１３】
また、上記と異なる簡易型チラシは、図２に示すように、サイズを異にする２枚の刷紙を有する。１枚の刷紙は紙幅の大きい（紙幅の３／４に相当する）第１刷紙６で、もう１枚の刷紙は紙幅の小さい（紙幅の１／４に相当する）第２刷紙７である。この第１刷紙６と第２刷紙７とは綴じ部Ｂで重ねてのりで綴じられ、図に示すような６頁の冊子形態にまとめられる。
【００１４】
このような冊子型チラシは次のように製作する。初めに、給紙装置から輪転印刷機に用紙を送って印刷する。用紙は印刷胴を巡りつつ、版胴からブランケット胴にインキの転移を行い、さらにブランケット胴のインキを用紙両面に転移して文字およびその他が印刷される。この刷紙は一定の温度の保たれるドライヤーに送られ、熱風によってインキが乾燥する。
【００１５】
続いて、刷紙は、図３に示すように、連続して設けられるローラ１１に達し、低温に保たれるローラ１１に触れて冷却される。刷紙はローラ１２を巡って流れ、図４に示す回転するカッターを有する１／３＋２／３リボンスリッター１３に達する。この１／３＋２／３リボンスリッター１３で刷紙は全用紙幅の１／３サイズと２／３サイズとに切り離される。なお、刷紙を切る値として１／３サイズおよび２／３サイズとして表わしているが、これは説明の便宜のためであり、切り方は１／３〜１／４または２／３〜３／４の間の任意の値で切ることが可能である。
【００１６】
切り離された２つの刷紙（以後、一方を第１刷紙（２／３サイズ）と呼び、他方を第２刷紙（１／３サイズ）と呼ぶ）は２組設けられるターンバー部１４で第１刷紙Ｐ１と第２刷紙Ｐ２とが上下に整列した並びを維持するように位置を合わされる。
【００１７】
一定の間隔を置いて流れる第１刷紙Ｐ１および第２刷紙Ｐ２のうち、下側を流れる第２刷紙Ｐ２に対してのり噴射器１５からのりが塗布される（たとえば、紙端から５ｍｍ以内の部分）。続いて、第２刷紙Ｐ２に上側を流れる第１刷紙Ｐ１が接近してドラッグローラ１６の位置で第１刷紙Ｐ１が第２刷紙Ｐ２と重なる。このとき、第２刷紙Ｐ２ののりを塗布した紙端部分は第１刷紙Ｐ１の中心から偏心した位置で重なり、両刷紙の密着により第１刷紙Ｐ１と第２刷紙Ｐ２とが綴じられる。この冊子は未断裁のために冊子同士はつながっている。そして、綴じられた第１刷紙Ｐ１と第２刷紙Ｐ２とがフォーマー部１７に達し、三角板１８で縦方向に２つ折りに折られる。
【００１８】
この折り工程では刷紙が冊子綴じ部の内側縁端に沿って折られる。このとき、第１刷紙Ｐ１の背面に一直線状の背が形成される。続いて、刷紙は、図５に示すように、断裁部１９に流れ、断裁胴２０によって決められた大きさに断裁される。断裁された刷紙は断裁部１９の下流に設けられる羽根車２１において１冊単位に分けられる。羽根車２１で分離したチラシはコンベア２２上に落下し、図示しないトリマー装置に送られる。
【００１９】
以上の手順で図１に示すような６頁からなる冊子形態の簡易型チラシを作製することができる。
【００２０】
なお、本実施の形態では刷紙へののりの塗布について第２刷紙に対して塗布する方法を述べたが、第１刷紙に対してのりを塗布するようにしてもよい。
【図面の簡単な説明】
【００２１】
【図１】本発明方法に従って製作された冊子型チラシの斜視図である。
【図２】本発明方法に従って製作された別の冊子型チラシの斜視図である。
【図３】本発明によるチラシの製作工程のうち、冷却工程を示す図である。
【図４】本発明によるチラシの製作工程のうち、のり塗布、接着および折り工程を示す図である。
【図５】本発明によるチラシの製作工程のうち、断裁および搬送工程を示す図である。
【符号の説明】
【００２２】
１、６…  第１刷紙
２、７…  第２刷紙
１３…  １／３＋２／３リボンスリッター
１４…  ターンバー部
１７…  フォーマー部
１８…  三角板
２０…  断裁胴
２１…  羽根車
【図１】
2008049708.tif 000002
【図２】
2008049708.tif 000003
【図３】
2008049708.tif 000004
【図４】
2008049708.tif 000005
【図５】
2008049708.tif 000006